(57)【要約】【課題】髭剃りを行なうと同時に肌面のケアを十分に行なうと共に、電気的痛感を与えることもなく、長期に亘って良好な剃味性能が得られる電気かみそりを提供すること。【解決手段】毛を切断する鋭角又は薄肉で構成された刃面３を持つ刃ヘッド２に、該刃面３と電気接触しない位置に、人体の肌面に微弱な電位や電流を与えるための電極部４が設けられている電気かみそり１である。【選択図】図１
2008154607.tif 000002
【特許請求の範囲】
【請求項１】
毛を切断する鋭角又は薄肉で構成された刃面を持つ刃ヘッドに、該刃面と電気接触しない位置に、人体の肌面に微弱な電位や電流を与えるための電極部が設けられていることを特徴とする電気かみそり。
【請求項２】
前記電極部の周囲を絶縁体で被覆すると共に、電極部の絶縁体で被覆されない部位を、髭剃り時に刃ヘッドの刃面と同時に肌面に接触可能としたことを特徴とする請求項１記載の電気かみそり。
【請求項３】
前記絶縁体は樹脂又はゴムで形成されており、髭剃り時に刃面を動かす方向を前後方向としたとき、該樹脂又はゴムで周囲が被覆されている電極部が刃面の前後方向の少なくとも一方に配置されていることを特徴とする請求項１又は２記載の電気かみそり。
【請求項４】
前記刃ヘッドは、毛を切断するための外刃と外刃に摺接して往復動する内刃とからなる刃を複数組備えており、前記電極部が刃相互間の少なくとも１つの刃間スペースに配置されていることを特徴とする請求項１乃至３のいずれか一項に記載の電気かみそり。
【請求項５】
前記刃ヘッドは手で把持するグリップ部に取り付けられ、グリップ部の表面部分に掌や指などに電気接触する対極電極部を設けたことを特徴とする請求項１乃至４のいずれか一項に記載の電気かみそり。
【請求項６】
前記刃ヘッドに設けられる電極部を陰極、グリップ部に設けられる対極電極部を陽極となるように電圧を印加することを特徴とする請求項５記載の電気かみそり。
【請求項７】
前記電極部に印加する電圧を０．０１Ｖ〜２０Ｖの範囲に設定したことを特徴とする請求項１乃至６のいずれか一項に記載の電気かみそり。
【請求項８】
前記電極部に印加する電圧が交流であることを特徴とする請求項１乃至７のいずれか一項に記載の電気かみそり。 
【発明の詳細な説明】
【技術分野】
【０００１】
本発明は、電気かみそりの刃ヘッドに関し、詳しくは刃ヘッドの刃面によるかみそり負けを低減すると同時に肌面のケアを行なうための技術に関するものである。
【背景技術】
【０００２】
従来より、除毛処理として毛を剃ったり引き抜いたりする除毛装置において、体毛を除毛するための刃面を有しており、この刃によって体毛を切断して除毛を行なっているが、毛穴の周囲の角質が髭と一緒に切断されたり剥離されたりして、かみそり負けに代表されるような肌荒れの状態になることがあり、このため、かみそり負けを低減する方策の検討と共に、肌面のケアをするための方策の検討も求められている。
【０００３】
後者の一例として、電気的刺激による体毛の起毛作用を利用した深剃りや、肌面に電位・電流を与えることで肌面をケアする除毛装置が提案されている（例えば、特許文献１参照）。
【０００４】
ところで、前記特許文献１に示された除毛装置にあっては、体毛を処理するための脱毛ヘッドの刃面に通電して、肌面に約１Ｖから１００Ｖの間のパルス振幅の刺激電流を流すことにより、皮膚組織の神経系統を刺激し、この電気的刺激によって、体毛の引き抜きにより生じる痛みの刺激が伝わるのを連続して麻痺させるためのものであり、使用者が僅かにひりひり感じる程度に調節されている。
【０００５】
しかしながら前記従来例では、刃面に対して電圧を印加するためステンレス等の金属を組成とした刃面が電気的に酸化されて腐食することが懸念される。特に電気かみそりの分野に適用しようとした場合は、毛を切断する刃面のエッジ先端が鋭利に加工されているため、通電による金属の腐食によってエッジ先端が破損して刃こぼれを起こし、剃味性能が低下するうえに、肌面を傷つけるという課題を有している。そのうえ刺激電流を流すことによって電気的刺激効果が増大して、電気的痛感を与えるという課題も有している。
【特許文献１】特表平９−５１０１２７号公報
【発明の開示】
【発明が解決しようとする課題】
【０００６】
本発明は前記の従来の問題点に鑑みて発明したものであって、髭剃りを行なうと同時に創傷した皮膚組織が修復され、皮膚角質層のバリア機能を修復・促進が図られ、肌面のケアを十分に行なうことができると共に、電気的痛感を与えることもなく、そのうえ長期に亘って良好な剃味性能が得られる電気かみそりを提供することを課題とするものである。
【課題を解決するための手段】
【０００７】
前記課題を解決するために、本発明者らは、電気かみそりの刃ヘッドが肌面に当たるときに当該肌面に微弱な電位や電流を与えることにより、電気的痛感を与えないようにしながら肌面のケアを十分に行なえる効果が得られることを見出して、本発明を完成するに至ったものである。
【０００８】
即ち、請求項１記載の発明は、毛を切断する鋭角又は薄肉で構成された刃面３を持つ刃ヘッド２に、該刃面３と電気接触しない位置に、人体の肌面に微弱な電位や電流を与えるための電極部４が設けられていることを特徴としている。
【０００９】
このような構成とすることで、髭剃りを行なうと同時に肌面に微弱な電気的刺激を与えることができ、創傷した皮膚組織が修復されて皮膚角質層のバリア機能を修復・促進が図られると共に、微弱な電気的刺激であるため電気的痛感を与えることもない。そのうえ、電極部４は刃ヘッド２の刃面３とは電気接触していないので、該刃面３が金属刃面である場合でも、刃面３が電気的に酸化されて腐食することがなく、特に金属刃面の尖った部分が電食して刃こぼれが発生するといった事態を回避でき、従って、剃味性能を向上させながら、肌面のケアを十分に行なえるようになる。
【００１０】
また請求項２記載の発明は、前記電極部４の周囲を絶縁体５で被覆すると共に、電極部４の絶縁体５で被覆されない部位を、髭剃り時に刃ヘッド２の刃面３と同時に肌面に接触可能としたことを特徴としており、これにより、刃ヘッド２の刃面３と隣接した位置に電極部４を配設した場合でも、電極部４と刃面３との電気接触を防止できるので、刃ヘッド２の刃面３への漏電を防ぐと同時に、電極部４の配置の自由度が広がり、設計等が容易となる。
【００１１】
また請求項３記載の発明は、前記絶縁体５は樹脂又はゴムで形成されており、髭剃り時に刃面３を動かす方向を前後方向Ａとしたとき、該樹脂又はゴムで周囲が被覆されている電極部４が刃面３の前後方向Ａの少なくとも一方に配置されていることを特徴としており、これにより、樹脂又はゴムなどの絶縁体５で電極部４を容易且つ安価に絶縁できると共に、刃ヘッド２を前方又は後方に動かしながら髭剃りを行なう直前に、該樹脂又はゴムなどの絶縁体５で絶縁された電極部４から皮膚組織に電気刺激を与えることができ、肌面のケアと同時に髭の起毛効果による剃味性能向上を低コストで実現できる。
【００１２】
また請求項４記載の発明は、前記刃ヘッド２は、毛を切断するための外刃６と外刃６に摺接して往復動する内刃７とからなる刃を複数組備えており、前記電極部４が刃相互間の少なくとも１つの刃間スペース８に配置されていることを特徴としており、これにより、刃ヘッド２の刃間スペース８を利用して電極部４をコンパクトに収納でき、刃ヘッド２の大型化を抑えることができる。
【００１３】
また請求項５記載の発明は、前記刃ヘッド２は手で把持するグリップ部９に取り付けられ、グリップ部９の表面部分に掌や指などに電気接触する対極電極部１０を設けたことを特徴としており、これにより、髭剃りを行なう肌面に電極部４を接触させたときに、刃ヘッド２とグリップ部９間で閉回路が形成されて人体に微弱電流が流れやすくなり、これにより髭剃りを行なう肌面は常に同じポテンシャルを有した電位・電圧が付加されるようになる。しかも、グリップ部９を手で把持するだけで掌や指などが対極電極部１０に電気接触するので、把持するグリップ部９を利用して微弱な電気的刺激効果を高めることができる。
【００１４】
また請求項６記載の発明は、前記刃ヘッド２に設けられる電極部４を陰極、グリップ部９に設けられる対極電極部１０を陽極となるように電圧を印加することを特徴としており、これにより、髭剃りを行なう肌面にマイナスの電位を与えることができるため、該肌面を正常な電位状態に保つことができ、肌面のケア効果に一層有効となる。
【００１５】
また請求項７記載の発明は、前記電極部４に印加する電圧を０．０１Ｖ〜２０Ｖの範囲に設定したことを特徴としており、これにより、肌面を正常な電位状態に保ちながら、同時に肌面に過剰な電流が流れて細胞が電気分解により死滅してしまうことがないようにしながら、皮膚組織を活性化することができる。
【００１６】
また請求項８記載の発明は、前記電極部４に印加する電圧が交流であることを特徴としており、これにより、低電圧でも肌面に電流を流すことができるうえに、電圧が高くても周波数を上げることで電気的痛みを低減することができる。
【発明の効果】
【００１７】
本発明にあっては、髭剃りを行なうと同時に肌面に微弱な電気的刺激を与えることにより、創傷した皮膚組織が修復され、皮膚角質層のバリア機能を修復・促進が図られ、肌面のケアによって肌状態が改善することが期待されると共に、微弱な電気的刺激であるため、電気的痛感を与えることもなく、そのうえ長期に亘って良好な剃味性能が得られる電気かみそりを提供できるものである。
【発明を実施するための最良の形態】
【００１８】
以下、本発明を添付図面に示す実施形態に基いて説明する。
【００１９】
本実施形態の電気かみそり１は、図１、図２に示すように、髭を切断する鋭角又は薄肉で構成された刃面３を持つ刃が刃フレーム１２に保持されてなる刃ヘッド２と、グリップ部９を兼ねるかみそり本体１１とで主体が構成される。
【００２０】
図１に示す例では、刃ヘッド２の刃は３つの外刃６が前後方向Ａにネット外刃６ａ、スリット刃６ｂ、ネット外刃６ａの順で配置されている。ネット外刃６ａは刃フレーム１２に固定される外刃枠により保持されている。ここで、刃ヘッド２の刃はステンレス等の金属を組成とした金属刃に限らず、例えば、樹脂で成型された刃であってもよい。
【００２１】
ここで本発明においては、刃ヘッド２に、人体の肌面に微弱な電位や電流を与えるための電極部４が設けられている。本例の電極部４は、前後方向Ａと直交する左右方向Ｂに配置される導電体、例えば左右方向Ｂに薄板状に延びた金属片で構成されており、スリット刃６ｂとネット外刃６ａとの間のスリット溝状の刃間スペース８に収納配置されている。ここで、電極部４の材質は金属片に限らず、それ以外に例えば導電性樹脂、或いは絶縁性樹脂の表面に金属鍍金（メッキ）を被覆したものであってもよく、その形態や種類については特に限定されない。また電極部４の肌面と接触する上端面は平坦面、或いは肌面にフィットする滑らかな湾曲面であってもよい。
【００２２】
また電極部４の周囲は、図１（ｃ）に示すように、扁平筒状をした樹脂製の絶縁体５により覆われている。この絶縁体５は、電極部４の上面部分を除く周囲とネット外刃６ａやスリット刃６ｂの刃面３とを電気絶縁して、電極部４に通電する際に刃面３に通電されないようにする働きをする。
【００２３】
さらに電極部４は刃フレーム１２に対して上下にフロート自在に支持されている。例えば、ネット外刃６ａとスリット刃６ｂとの間の刃間スペース８内部で上下移動自在に配置されていると共にバネ（図示せず）にて上方に向けて常にバネ付勢されており、髭剃り時にネット外刃６ａやスリット刃６ｂが肌面と接触してフロートする際に、電極部４はネット外刃６ａやスリット刃６ｂと触れ合うことなくフロートして電極部４の上面部分が肌面と接触できる高さ位置を保持できるようにしている。
【００２４】
また前記電極部４の左右方向Ｂの両端側の底面からは、図１（ｃ）に示すように、左右一対の電極端子１３が突設しており、一方、かみそり本体１１の上面には、図２（ｂ）に示すように、左右一対の給電端子１４が突設しており、刃ヘッド２をかみそり本体１１に装着した状態で、電極端子１３と給電端子１４とが電気接触することで、かみそり本体１１内の電源部（図示せず）から電極部４に対して電圧が印加されるようになっている。ここで、電極部４に通電される電流を微弱電流とするために、かみそり本体１１内に例えば電源部と給電端子１４との間に低電圧制御装置（図示せず）が設けられている。ここで、前述のように電極部４を刃フレーム１２にてフロート支持した構造では、フロートする電極端子１３とかみそり本体１１の給電端子１４との電気接触状態を保つ方法として、例えば給電端子１４をかみそり本体１１の上面部分から出没自在とし且つ給電端子１４をバネ（図示せず）によって上方にバネ付勢する構造とすることが好ましい。
【００２５】
また、かみそり本体１１には、図２に示すように、モータ（図示せず）を駆動させるためのスイッチ１５と、グリップ部９の表面に設けられた導電体からなる対極電極部１０がそれぞれ配置されている。対極電極部１０は例えば、髭剃り時にかみそり本体１１を動かす方向を前後方向Ａとしたとき、例えば、図８（ａ），（ｂ）に示すように、左右方向Ｂの両側面１１ｃ，１１ｃから背面１１ｂに亘って配置されており、グリップ部９を手で把持したときに掌や指が確実に対極電極部１０に電気接触可能としている。なお、グリップ部９に設けられる対極電極部１０の位置やその形状や大きさについては、これに限定されるものではない。
【００２６】
しかして、前記構成の電気かみそり１のスイッチ１５をオン操作すると電源部とモータ回路とが電気的につながって、モータが内刃駆動子を駆動させることで内刃７が左右に駆動し、ネット外刃６ａに導入された髭が内刃７とネット外刃６ａとの挟み切りで切断できるようになり、このときスリット刃駆動子が駆動してスリット刃６ｂにおいて長く伸びた髭を粗剃りできるようになる。またこのときスイッチ１５のオン操作によって刃ヘッド２の電極部４に低電圧が印加されるようになり、電極部４に接する肌面には例えば数μＡ程度の微弱電流が流れるようにしている。ちなみに、体内には１００〜２００μＡの生体電流が流れており、この生体電流に近い微弱電流を体外から流してやることで、自然治癒力が高まることが実証されている。
【００２７】
このように髭剃りを行なうと同時に肌面に微弱電流を流すことにより、特に肌荒れが生じている場合に、微弱電流によって創傷した皮膚組織が修復され、皮膚角質層のバリア機能を修復・促進が図られ、髭剃り後の肌面の状態もしっとり、サラサラの状態にでき、肌面のケアが十分に行なわれて肌状態が改善することが期待される。そのうえ微弱電流であるため、電気的刺激も微弱であり、電気的な痛みを与えることもなくなる。さらに、電極部４は刃ヘッド２の刃面３とは電気接触していないので、該刃面３が金属刃面の場合でも、電気的に酸化されて腐食することがなく、特に金属刃面の尖った部分が電食して刃こぼれが発生するといった事態を回避でき、結果、剃味性能を向上させながら、肌面のケアを十分に行なえるようになる。
【００２８】
また本例ではグリップ部９に対極電極部１０を設けたことにより、髭剃りを行なう肌面に電極部４を接触させたときに、人体を介して電極部４とグリップ部９の対極電極部１０との間で閉回路が形成されて人体に微弱電流が流れやすくなり、これにより髭剃りを行なう肌面は常に同じポテンシャルを有した電位・電圧が付加されるようになる。しかも、グリップ部９を手で把持するだけで掌や指などが対極電極部１０に接触するので、把持するグリップ部９を利用して微弱な電気的刺激効果を高めることができる。さらに本例では、直流電圧を印加した場合において、刃ヘッド２に設けられる電極部４を陰極、グリップ部９に設けられる対極電極部１０を陽極とすることにより、髭剃りを行なう肌面にマイナスの電位を与えることができるため、該肌面を正常な電位状態に保つことができ、肌面のケア効果に一層有効となる。
【００２９】
なお、対極電極部１０に電圧を印加する場合に限らず、他例としてかみそり本体１１の一対の給電端子１４のうちの一方にプラス電圧、他方にマイナス電圧を印加する構成とすることも可能である。
【００３０】
また、電極部４の周囲を絶縁体５によって被覆しているので、刃ヘッド２の刃面３と隣接した位置に電極部４を配設した場合でも、電極部４は刃面３に電気接触することがなくなり、これにより、刃ヘッド２の刃面３への漏電を防ぐと同時に、電極部４の配置の自由度が広がり、設計等が容易になるといった利点を有する。しかも絶縁体５は樹脂又はゴムで形成されているので、樹脂又はゴムなどの絶縁体５で電極部４を容易且つ安価に絶縁できると共に、刃ヘッド２を前後方向Ａに動かしながら髭剃りを行なう際には、前方（又は後方）に樹脂又はゴムなどの絶縁体５で絶縁された電極部４が位置することで、肌面のケアと同時に髭の起毛効果による剃味性能向上を図ることができる利点を有する。
【００３１】
さらに前記電極部４を刃ヘッド２の刃相互間の刃間スペース８に配置しているので、刃ヘッド２の刃間スペース８を利用して電極部４をコンパクトに収納できるものである。なお図１の例では、スリット刃６ｂとネット外刃６ａとの間の１つの刃間スペース８に電極部４を収納したが、例えば２つ以上の刃間スペース８にそれぞれ電極部４を収納することも可能であり、この結果、複数の刃間スペース８を利用して電極部４を納まりよく収納できて刃ヘッド２の大型化を極力抑えることができる利点も有している。
【００３２】
ところで、電極部４から肌面に流される微弱電流として、図３に示したような一定電圧値Ｌ１、或いは図４に示したような矩形波Ｌ２の直流電圧、或いは図５に示したような正弦波Ｌ３、或いは図６に示したような矩形波Ｌ４の交流電圧などを印加することができる。このときの電圧値として、例えば図３のような一定電圧値Ｌ１を与えた場合には、０．０１Ｖ〜２０Ｖの範囲内で印加することが好ましい。電圧値が０．０１Ｖよりも低いと、肌面を正常な電位状態に保つことができず、また２０Ｖを超えると、肌面に過剰な電流が流れて細胞が電気分解により死滅してしまうため、本例では前記範囲で皮膚組織の活性化を図るものである。
【００３３】
ここで言及する電圧は、定電圧や、パルス電圧、或いは周期的に電圧値が変動するものなど印加する電圧の種類には限定されない。例えば直流電圧（図３のＬ１、図４のＬ２）において、パルス電圧（６０Ｈｚ〜１ＭＨｚ）などの電圧値が変動する場合には平均電圧値、或いはピーク電圧値が前記電圧値の範囲内であり、また定電流制御を行なっている場合には、髭剃りする肌面に印加したときの電圧値の平均値が前記電圧値の範囲内である場合にも該当するものである。一方、交流電圧（図５のＬ３、図６のＬ４）においては、ピークの最大値が前記電圧値の範囲内である場合に該当するものである。ここで交流電圧とした場合は、低電圧でも肌面に電流を流すことができるうえに、電圧が高くても周波数を上げることで電気的痛みを低減することができる。ここで言及する交流は、図５の正弦波や図６の矩形波以外に、三角波などがあり、その形状については限定されるものではない。
【００３４】
なお、本実施形態では低電圧制御のパターンを記載しているが、定電流制御を行なった場合には、電圧値が条件等により変動するため、この場合においても平均電圧値、又はピーク電圧値が０．０１Ｖ〜２０Ｖであることが好ましい。
【００３５】
図７は本発明の他の実施形態を示しており、肌面に微弱電流を与えるための電極部４は、ネット外刃６ａの外側に設けられており、髭剃りする際にネット外刃６ａやスリット刃６ｂが肌面と接触する際に、電極部４も肌面と接触できるような高さ位置に配置されている。他の構成は図１〜図６の実施形態と同様であり、対応する部分には同一符号を付しておく。本例では、髭剃りする際に電極部４が肌面により確実に触れるようになり、肌面のケアを十分に行なえるようになり、この結果、図１〜図６と同じ作用効果を奏すると共に、電極部４の前端面を滑らかな湾曲形状に形成することで肌面にフィットしやすくなる利点もあり、また電極部４の周囲を絶縁体５（図４）で被覆する必要がなく、電極部４のネット外刃６ａと対向する片側の側面のみ絶縁構造とすればよく、電極部４の構造を簡略化できる利点もある。
【００３６】
図８は本発明の更に他の実施形態を示しており、かみそり本体１１の背面に電極支持部１６が上下にスライド自在に取り付けられており、電極支持部１６の上端に肌面に微弱電流を与えるための電極部４が設けられている。他の構成は図１〜図６の実施形態と同様であり、対応する部分には同一符号を付しておく。本例では、電極支持部１６を上下にスライドさせることで、ネット外刃６ａと触れ合うことなく電極支持部１６と電極部４とが一体に昇降でき、上方のスライド位置では電極部４が刃ヘッド２におけるネット外刃６ａと電気接触しない状態で略同じ高さになり、髭剃りする際にネット外刃６ａと電極部４とが同時に肌面に触れるようになっており、この結果、図１〜図６と同じ作用効果を奏することができると共に、図８（ｃ）のように、刃ヘッド２には電極部４を増設しなくてよいため、既存の刃ヘッド２を設計変更することなくそのまま使用できる利点があり、さらに本例では電極部４を絶縁体で絶縁する必要もなく、部品数を削減できる利点もある。なお、電極支持部１６は例えば、長い髭などを髭剃りするトリマーを兼ねていても構わない。つまり、既存のトリマーの刃先部分を電極部４として機能させる構造とすることも可能である。
【図面の簡単な説明】
【００３７】
【図１】（ａ）は本発明の一実施形態の電極部を備えた刃ヘッドの斜視図、（ｂ）は上の刃ヘッドの側面図、（ｃ）は電極部の斜視図である。
【図２】（ａ）は同上の電気かみそりの正面図、（ｂ）は刃フレームを取り外した状態のかみそり本体の正面図である。
【図３】同上の電極部に印加する印加パターンの一例の説明図である。
【図４】同上の電極部に印加する印加パターンの他例の説明図である。
【図５】同上の電極部に印加する印加パターンの更に他例の説明図である。
【図６】同上の電極部に印加する印加パターンの更に他例の説明図である。
【図７】（ａ）は本発明の他の実施形態に用いる電気かみそりの正面図、（ｂ）は刃ヘッドの斜視図である。
【図８】（ａ）は本発明の更に他の実施形態に用いる電気かみそりの背面図、（ｂ）は側面図、（ｃ）は刃ヘッドの斜視図である。
【符号の説明】
【００３８】
１  電気かみそり
２  刃ヘッド
３  刃面
４  電極部
５  絶縁体
６  外刃
７  内刃
８  刃間スペース
９  グリップ部
１０  対極電極部
Ａ  前後方向
【図１】
2008154607.tif 000003
【図２】
2008154607.tif 000004
【図３】
2008154607.tif 000005
【図４】
2008154607.tif 000006
【図５】
2008154607.tif 000007
【図６】
2008154607.tif 000008
【図７】
2008154607.tif 000009
【図８】
2008154607.tif 000010